(57)【要約】【課題】移動局の状態に応じた最適な周辺セルサーチを実施可能とする。【解決手段】本発明に関わるチャネルマッピング方法は、同期チャネル（ＳＣＨ）を２つに分割し、基地局の周波数帯域幅の中心に分割したＳＣＨをそれぞれ配置する。移動局は、移動局情報（ＣＱＩ、位置情報、移動速度、移動局の送信電力、パスロス、受信品質の変動量）の少なくとも一つを取得し（Ｓ１）。基地局へ移動局情報を送信する（Ｓ２）。基地局は、移動局情報の少なくとも一つの情報を基に移動局の状態を判断し（Ｓ３）、移動局の状態に最適な周辺セルサーチのためのパケットスケジューリングを決定して（Ｓ４）、移動局に通知する（Ｓ５）。移動局は、パケットスケジューリングに従って受信周波数領域を変更して周辺セルサーチを行う。【選択図】図４
2008028627.tif 000002
【特許請求の範囲】
【請求項１】
移動局装置と基地局装置とを備えるマルチキャリア移動通信システムであって、
前記移動局装置は、該移動局装置の状態を判断するために必要となる複数の移動局情報を取得し、該移動局情報の少なくとも一つを使用して、該移動局装置に応じた最適な周辺セルサーチを行うためのスケジューリングに必要とする情報を前記基地局装置に通知し、
前記基地局装置は、前記スケジューリングに必要とする情報を用いて、前記移動局装置に応じた最適な周辺セルサーチのための情報を前記移動局装置に通知することを特徴とするマルチキャリア移動通信システム。
【請求項２】
前記スケジューリングに必要とする情報は、前記複数の移動局情報の少なくとも一つであることを特徴とする請求項１に記載のマルチキャリア移動通信システム。
【請求項３】
前記移動局装置は、前記複数の移動局情報の少なくとも一つを用いて該移動局装置の状態を判断し、該判断した該移動局装置の状態を、前記スケジューリングに必要とする情報とすることを特徴とする請求項１に記載のマルチキャリア移動通信システム。
【請求項４】
前記最適な周辺セルサーチのための情報は、前記移動局装置に応じた最適な周辺セルサーチのためのスケジューリング情報であることを特徴とする請求項１に記載のマルチキャリア移動通信システム。
【請求項５】
前記最適な周辺セルサーチのための情報は、前記移動局装置に応じた最適な周辺セルサーチのための受信周波数領域の情報であることを特徴とする請求項１に記載のマルチキャリア移動通信システム。
【請求項６】
前記移動局装置は、前記複数の移動局情報の少なくとも一つを基に、最適な周辺セルサーチを実施するための受信周波数領域を判断することを特徴とする請求項１に記載のマルチキャリア移動通信システム。
【請求項７】
前記基地局装置は、前記複数の移動局情報の少なくとも一つを基に、最適な周辺セルサーチを実施するための受信周波数領域を判断することを特徴とする請求項１に記載のマルチキャリア移動通信システム。
【請求項８】
前記複数の移動局情報は、品質情報指標、位置情報、移動速度、移動局装置の送信電力、パスロス、及び受信品質の変動量のいずれかまたは複数を含むことを特徴とする請求項１に記載のマルチキャリア移動通信システム。
【請求項９】
移動局装置と基地局装置とを備えるマルチキャリア移動通信システムにおける該移動局装置の周辺セルサーチ方法において、
前記移動局装置は、周辺セルサーチを前記基地局装置の送信周波数帯域幅の中心で行うか両側で行うかによって、同期チャネルの受信方法を変更することを特徴とする周辺セルサーチ方法。
【請求項１０】
移動局装置と基地局装置とを備えるマルチキャリア移動通信システムにおける該移動局装置の周辺セルサーチ方法において、
前記移動局装置は、周辺セルサーチを前記基地局装置の送信周波数帯域幅の中心で行うか両側で行うかによって、前記移動局装置のためのパケットスケジューリング方法を変更することを特徴とする周辺セルサーチ方法。
【請求項１１】
移動局装置と基地局装置とを備えるマルチキャリア移動通信システムにおける同期チャネルのチャネルマッピング方法であって、前記同期チャネルの周波数帯域幅を前記基地局装置の周波数帯域幅の中心から２分割して該同期チャネルをマッピングすることを特徴とするチャネルマッピング方法。
【請求項１２】
前記分割した周波数帯域幅にそれぞれ同じ同期チャネルをマッピングすることを特徴とする請求項１１に記載の同期チャネルのチャネルマッピング方法。
【請求項１３】
前記分割した周波数帯域幅に対する前記同期チャネルのマッピング位置を、該同期チャネルの送信周期毎に交互に入れ替えてマッピングすることを特徴とする請求項１１に記載の同期チャネルのチャネルマッピング方法。
【請求項１４】
前記同期チャネルの送信周期毎に、前記同期チャネルの前後を交互に入れ替えて前記同期チャネルをマッピングすることを特徴とする請求項１１に記載の同期チャネルのチャネルマッピング方法。
【請求項１５】
前記同期チャネルから求められるセルＩＤまたはセルＩＤグループを組み合わせることでセルＩＤまたはセルＩＤグループが特定可能な１組の同期チャネルを用意し、前記分割した周波数帯域に対する前記同期チャネルのマッピング位置を、該同期チャネルの送信周期毎に交互に入れ替えてマッピングすることを特徴とする請求項１１に記載の同期チャネルのチャネルマッピング方法。
【請求項１６】
移動局装置と基地局装置とを備えるマルチキャリア移動通信システムに適用する前記移動局装置であって、
該移動局装置は、該移動局装置の状態を判断するために必要となる複数の移動局情報を取得し、該移動局装置に応じた最適な周辺セルサーチを行うためのスケジューリングに必要とする情報として、前記移動局情報の少なくとも一つを前記基地局装置に通知することを特徴とする移動局装置。
【請求項１７】
移動局装置と基地局装置とを備えるマルチキャリア移動通信システムに適用する前記移動局装置であって、
該移動局装置は、該移動局装置の状態を判断するために必要となる複数の移動局情報を取得し、前記複数の移動局情報の少なくとも一つを用いて該移動局装置の状態を判断し、該判断した該移動局装置の状態を、前記移動局装置に応じた最適な周辺セルサーチを行うためのスケジューリングに必要とする情報として、前記基地局装置に通知することを特徴とする移動局装置。
【請求項１８】
移動局装置と基地局装置とを備えるマルチキャリア移動通信システムに適用する前記移動局装置であって、
該移動局装置は、前記マルチキャリア移動通信システムにおける同期チャネルの周波数帯域幅を前記基地局装置の周波数帯域幅の中心から２分割した該同期チャネルのマッピングであって、前記分割した周波数帯域幅に対する前記同期チャネルのマッピング位置を、該同期チャネルの送信周期毎に交互に入れ替えたマッピングか、もしくは前記同期チャネルの送信周期毎に、前記同期チャネルの前後を交互に入れ替えたマッピングのいずれかがなされ、かつ、前記移動局装置が、前記基地局装置の送信周波数帯域幅の両側に配置されているときにおいて、同期チャネルの送信周期ごとにセルＩＤまたはセルＩＤグループの検出を行うことを特徴とする移動局装置。
【請求項１９】
移動局装置と基地局装置とを備えるマルチキャリア移動通信システムに適用する前記移動局装置であって、
該移動局装置は、前記マルチキャリア移動通信システムにおける同期チャネルの周波数帯域幅を前記基地局装置の周波数帯域幅の中心から２分割した該同期チャネルのマッピングであって、前記分割した周波数帯域幅に対する前記同期チャネルのマッピング位置を、該同期チャネルの送信周期毎に交互に入れ替えたマッピングか、もしくは前記同期チャネルの送信周期毎に、前記同期チャネルの前後を交互に入れ替えたマッピングのいずれかがなされ、かつ、前記移動局装置が、前記基地局装置の送信周波数帯域幅の両側に配置されているときにおいて、同期チャネルを２つ受信する度にセルＩＤまたはセルＩＤグループの検出を行うことを特徴とする移動局装置。
【請求項２０】
移動局装置と基地局装置とを備えるマルチキャリア移動通信システムに適用する前記基地局装置であって、
該基地局装置は、前記移動局装置に応じた最適な周辺セルサーチを行うためのスケジューリングに必要とする情報を前記移動局装置から受信し、
前記スケジューリングに必要とする情報を用いて、前記移動局装置に応じた最適な周辺セルサーチのためのスケジューリング情報を前記移動局装置に通知することを特徴とする基地局装置。
【請求項２１】
移動局装置と基地局装置とを備えるマルチキャリア移動通信システムに適用する前記基地局装置であって、
該基地局装置は、前記移動局装置に応じた最適な周辺セルサーチを行うためのスケジューリングに必要とする情報を前記移動局装置から受信し、
前記スケジューリングに必要とする情報を用いて、前記移動局装置に応じた最適な周辺セルサーチのための受信周波数領域の情報を前記移動局装置に通知することを特徴とする基地局装置。
【発明の詳細な説明】
【技術分野】
【０００１】
本発明は、セルラ無線方式を用いる移動通信システム、移動局装置、基地局装置、及び移動通信方法に関し、より詳細には、マルチキャリア移動通信システムを用いる移動局装置、基地局装置の周辺セルサーチ方法に関する。
【背景技術】
【０００２】
現在、無線アクセス技術であるＲＡＴ（Ｒａｄｉｏ  Ａｃｃｅｓｓ  Ｔｅｃｈｎｏｌｏｇｙ）として、３ＧＰＰ（３ｒｄ  Ｇｅｎｅｒａｔｉｏｎ  Ｐａｒｔｎｅｒｓｈｉｐ  Ｐｒｏｊｅｃｔ）で規定されているＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ、非特許文献１）が第三世代セルラ移動通信方式として標準化され、順次サービスが開始されている。
【０００３】
また、第三世代ＲＡＴの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ、以降ＥＵＴＲＡと称する）及び第三世代ＲＡＴアクセスネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、以降ＥＵＴＲＡＮと称する）が検討されている。ＥＵＴＲＡでは、通信方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が提案されている（非特許文献２）。
【０００４】
セルラ移動通信方式では、移動局が基地局の通信エリアであるセルまたはセクタ内において、事前に基地局と無線同期している必要があることから、基地局では規定の構成から成る同期チャネル（Ｓｙｎｃｈｒｏｎｉｚａｔｉｏｎ  Ｃｈａｎｎｅｌ、以降ＳＣＨと称する）を送信し、移動局にてＳＣＨを検出し、送信タイミングを取得することで基地局と同期を取る。なお、Ｗ−ＣＤＭＡ方式では、ＳＣＨとしてＰ−ＳＣＨ（Ｐｒｉｍａｒｙ  ＳＣＨ）とＳ−ＳＣＨ（Ｓｅｃｏｎｄａｒｙ  ＳＣＨ）が同じタイミングで送信される。
【０００５】
移動局は、Ｐ−ＳＣＨによってスロット同期を取得し、Ｓ−ＳＣＨの送信パターンによってフレーム同期を取得すると共に、基地局を区別するためのセルＩＤのグループを特定する。更にセルＩＤグループから基地局のセルＩＤを特定するには、共通パイロットチャネル（Ｃｏｍｍｏｎ  Ｐｉｌｏｔ  Ｃｈａｎｎｅｌ、以降ＣＰＩＣＨと称する）を用いる（非特許文献１の３５頁〜４５頁“２−２−２．セルサーチ”参照）。上記の一連の制御、すなわち、移動局が基地局と無線同期を取り、更にその基地局のセルＩＤを特定するまでの制御をセルサーチと呼ぶ。
【０００６】
セルサーチは、初期セルサーチと周辺セルサーチとに分類される。初期セルサーチとは移動局が電源オン後に最も近いセルを検索し、そのセルに在圏するために行うセルサーチであり、周辺セルサーチとは初期セルサーチ後に、移動局がハンドオーバー先の候補セルを検索するために行うセルサーチのことである。
【０００７】
ＥＵＴＲＡは、ＯＦＤＭＡ方式を用いたマルチキャリア通信であるため、同期チャネル（ＳＣＨ）を使用するものの、前述したＷ−ＣＤＭＡ方式のセルサーチとは異なる制御が必要なことが知られている。例えば、ＥＵＴＲＡでは既存の２Ｇや３Ｇサービスとの共存のため、異なる周波数帯域幅（例えば、１.２５ＭＨｚ、２.５ＭＨｚ、５ＭＨｚ、１０ＭＨｚ、２０ＭＨｚ）を持つ基地局をサポートする必要がある。このことを考慮し、ＳＣＨの周波数帯域幅を１.２５ＭＨｚとし、基地局の周波数帯域幅の中心で送信する方法が考えられている（非特許文献２）。
【０００８】
図１３はＥＵＴＲＡにおける異なる周波数帯域幅を持つ基地局とＳＣＨの関係を示した図である。図１３に示すように、基地局の周波数帯域幅が異なっていても、ＳＣＨは常に基地局の周波数帯域幅の中心で送信される。これにより、隣接する基地局の周波数帯域幅が現在の基地局の周波数帯域幅と異なっていても、移動局は周波数帯域幅の中心で周辺セルサーチを行うことによってＳＣＨを検出することが可能となる。
【０００９】
また、ＳＣＨ以外のＥＵＴＲＡで使用される制御チャネルとその役割について以下に簡単に説明する。制御チャネルとしては下り共通パイロットチャネル、上り共通パイロットチャネル、下り共用制御チャネル、上り共用制御チャネルがある。
【００１０】
下り共通パイロットチャネル（Ｄｏｗｎ  Ｌｉｎｋ  Ｃｏｍｍｏｎ  Ｐｉｌｏｔ  Ｃｈａｎｎｅｌ、以降ＤＬ−ＣＰＩＣＨと称する）は、基地局から移動局へ送信されるチャネルであり、固定の送信電力で送信されている。移動局はＤＬ−ＣＰＩＣＨの受信電力を測定することで下りの受信品質を判断する。受信品質は品質情報指標（Ｃｈａｎｎｅｌ  Ｑｕａｌｉｔｙ  Ｉｎｄｉｃａｔｏｒ、以降ＣＱＩと称する）として上り共用制御チャネルを用いて基地局へフィードバックされる。基地局はフィードバックされたＣＱＩを基に下りのスケジューリングを行う。
【００１１】
上り共通パイロットチャネル（Ｕｐ  Ｌｉｎｋ  Ｃｏｍｍｏｎ  Ｐｉｌｏｔ  Ｃｈａｎｎｅｌ、以降ＵＬ−ＣＰＩＣＨと称する）は、移動局から基地局へ送信されるチャネルであり、固定の送信電力で送信されている。基地局はＵＬ−ＣＰＩＣＨの受信電力を測定することで上りの受信品質を判断する。基地局は受信品質を基に上りのスケジューリングを行う。
【００１２】
下り共用制御チャネルは、基地局から移動局へ送信されるチャネルであり、複数移動局に対して共通的に使用される。基地局は、送信タイミング情報やスケジューリング情報（上り／下りリソース割当て情報）の送信に下り共用制御チャネルを用いる。
【００１３】
上り共用制御チャネルは、移動局から基地局へ送信されるチャネルであり、移動局は、品質情報指標（ＣＱＩ）、ＨＡＲＱ（Ｈｙｂｒｉｄ  Ａｕｔｏ  Ｒｅｐｅａｔ  Ｒｅｑｕｅｓｔ）、ＡＣＫ／ＮＡＣＫ（Ａｃｋｎｏｗｌｅｄｇｅ／Ｎｏｔ  Ａｃｋｎｏｗｌｅｄｇｅ）などの情報の通知に上り共用制御チャネルを用いる。
【００１４】
ＥＵＴＲＡにおいて、移動局の能力（ＵＥ  Ｃａｐａｂｉｌｉｔｙ）として送受信帯域幅は最低でも１０ＭＨｚの性能を持つことが規定されている（非特許文献２）。
図１４は、受信帯域幅が１０ＭＨｚの性能を持つ移動局１〜移動局３が、周波数帯域幅２０ＭＨｚの基地局に在圏していることを示した図である。このとき、移動局は図中の移動局１〜３のいずれかの位置で送受信を行う。移動局が通信中の場合、移動局１と移動局２の位置で通信するのが良い。これは、移動局３の位置では、中心の１０ＭＨｚの領域に負荷が集中することで、セル内の移動局の収容移動局数が減少するためである。
【００１５】
一方、移動局が待ち受け中の場合、ＳＣＨが中心１.２５ＭＨｚに亘って送信されているため、移動局１と移動局２の位置ではＳＣＨの１.２５ＭＨｚのどちらか半分しか受信できなくなり、周辺セルサーチの性能が劣化する。そのため、待ち受け中の場合はＳＣＨを全て受信可能な移動局３の位置に配置するのが良い。なお、移動局が待ち受け中の場合はリソース割当てがされないため、周波数帯域幅の中心（移動局３の位置）に配置しても負荷が集中することはないため、移動局３の位置に配置するのが良い。
【００１６】
しかしながら、通信中の場合でもハンドオーバーのために周辺セルサーチは必要であるため、移動局１や移動局２の位置であっても十分なセル検出性能が確保可能な周辺セルサーチ方法が必要となる。
そのため、例えば移動局１や移動局２の位置にある移動局が、周辺セルサーチを行うときだけ周波数帯域幅の中心（移動局３の位置）に移動してＳＣＨを受信する方法が考えられる。また、非特許文献３では、セルエッジユーザなどの周辺セルサーチが必要な移動局に限定して、周波数帯域幅の中心（移動局３の位置）に配置する方法が示されている。
【非特許文献１】立川  敬二，“Ｗ−ＣＤＭＡ移動通信方式”，ＩＳＢＮ４−６２１−０４８９４−５，平成１３年６月２５日初版発行、丸善株式会社
【非特許文献２】３ＧＰＰ  ＴＲ（Ｔｅｃｈｎｉｃａｌ  Ｒｅｐｏｒｔ）２５．８１４，Ｖ１．５．０（２００６−５），Ｐｈｙｓｉｃａｌ  Ｌａｙｅｒ  Ａｓｐｅｃｔｓ  ｆｏｒ  Ｅｖｏｌｏｖｅｄ  ＵＴＲＡ．ｈｔｔｐ：／／ｗｗｗ．３ｇｐｐ．ｏｒｇ／ｆｔｐ／Ｓｐｅｃｓ／ｈｔｍｌ−ｉｎｆｏ／２５８１４．ｈｔｍ
【非特許文献３】ＬＧ  Ｅｌｅｃｔｒｏｎｉｃｓ．“Ｄｉｓｃｕｓｓｉｏｎ  ａｎｄ  ｄｒａｆｔ  ａｎｓｗｅｒｓ  ｏｎ  ＬＳ  Ｒ１−０６１１０９”，３ＧＰＰ  ＴＳＧ  ＲＡＮ  ＷＧ１  Ｍｅｅｔｉｎｇ  ＃４５，Ｓｈａｎｇｈａｉ，Ｃｈｉｎａ，８−１２  Ｍａｙ，２００６，Ｒ１−０６１１５４
【発明の開示】
【発明が解決しようとする課題】
【００１７】
しかしながら、図１４において周波数帯域幅の両側（移動局１や移動局２の位置）にある移動局が、周辺セルサーチを行うときだけ周波数帯域幅の中心（移動局３の位置）に移動してＳＣＨを受信する前記の方法は、移動局が受信する周波数帯域幅が変わるため、適切なタイミングで受信周波数の切り替え処理が必要となる。そのため、セルエッジのユーザや高速移動中のユーザは周辺セルサーチのための受信周波数切り替え処理が頻繁に発生し、消費電力が増加するという問題がある。
【００１８】
また、非特許文献３に示されている、セルエッジユーザなどの周辺セルサーチが必要な移動局に限定して、周波数帯域幅の中心（移動局３の位置）に配置する方法は、セルエッジに多数のユーザが存在している場合、周波数帯域幅の中心（移動局３の位置）においてシステム全体の負荷が高くなり、伝送レートの低下や、収容移動局数が減少するという問題がある。
【００１９】
本発明は、上記を鑑みてなされたもので、通信中の移動局の状態に対応して周辺セルサーチを効率的に実施可能としたマルチキャリア移動通信システム、移動局装置、基地局装置、同期チャネルマッピング方法及び周辺セルサーチ方法を提供することを目的とする。
【課題を解決するための手段】
【００２０】
本発明は、同期チャネル（ＳＣＨ）を２つに分割し、基地局の周波数帯域幅の中心に分割したＳＣＨをそれぞれ配置するチャネルマッピング方法を採り、移動局は、移動局情報（ＣＱＩ、位置情報、移動速度、移動局の送信電力、パスロス、受信品質の変動量）の少なくとも一つを測定する機能と、基地局へ前記移動局情報を送信する機能を具備し、基地局は、前記移動局情報の少なくとも一つの情報を基に移動局の状態を判断する機能を具備し、前記移動局の状態に最適な周辺セルサーチのためのパケットスケジューリングを決定し、前記移動局は前記パケットスケジューリングに従って受信周波数領域を変更して周辺セルサーチを行うことを特徴とする。
【００２１】
また、本発明の別の形態は、同期チャネル（ＳＣＨ）を２つに分割し、基地局の周波数帯域幅の中心に分割したＳＣＨをそれぞれ配置するチャネルマッピング方法を採り、移動局は、移動局情報（ＣＱＩ、位置情報、移動速度、移動局の送信電力、パスロス、受信品質の変動量）の少なくとも一つを測定する機能と、前記移動局情報を基に移動局の状態を判断する機能と、判断した移動局の状態を基地局へ送信する機能を具備し、基地局は、前記移動局の状態に最適な周辺セルサーチのためのパケットスケジューリングを決定し、前記移動局は前記パケットスケジューリングに従って受信周波数領域を変更して周辺セルサーチを行うことを特徴とする。
【００２２】
また、本発明の別の形態は、同期チャネル（ＳＣＨ）を２つに分割し、基地局の周波数帯域幅の中心に分割したＳＣＨをそれぞれ配置するチャネルマッピング方法を採り、移動局は、移動局情報（ＣＱＩ、位置情報、移動速度、移動局の送信電力、パスロス、受信品質の変動量）の少なくとも一つを測定する機能と、基地局へ前記移動局情報を送信する機能を具備し、基地局は、前記移動局情報の少なくとも一つの情報を基に移動局の状態を判断する機能と、判断した移動局の状態を移動局へ送信する機能を具備し、前記移動局の状態に最適な周辺セルサーチのためのパケットスケジューリングを決定し、前記移動局は前記パケットスケジューリングに従って受信周波数領域を変更して周辺セルサーチを行うことを特徴とする。
【００２３】
以下に本発明の各請求項に応じた技術手段を具体的に示す。
本発明の第１の技術手段は、移動局装置と基地局装置とを備えるマルチキャリア移動通信システムであって、移動局装置は、移動局装置の状態を判断するために必要となる複数の移動局情報を取得し、移動局情報の少なくとも一つを使用して、移動局装置に応じた最適な周辺セルサーチを行うためのスケジューリングに必要とする情報を基地局装置に通知し、基地局装置は、スケジューリングに必要とする情報を用いて、移動局装置に応じた最適な周辺セルサーチのための情報を移動局装置に通知することを特徴としたものである。
【００２４】
第２の技術手段は、第１の技術手段において、スケジューリングに必要とする情報は、複数の移動局情報の少なくとも一つであることを特徴としたものである。
【００２５】
第３の技術手段は、第１の技術手段において、移動局装置は、複数の移動局情報の少なくとも一つを用いて移動局装置の状態を判断し、判断した移動局装置の状態を、スケジューリングに必要とする情報とすることを特徴としたものである。
【００２６】
第４の技術手段は、第１の技術手段において、最適な周辺セルサーチのための情報は、移動局装置に応じた最適な周辺セルサーチのためのスケジューリング情報であることを特徴としたものである。
【００２７】
第５の技術手段は、第１の技術手段において、最適な周辺セルサーチのための情報は、移動局装置に応じた最適な周辺セルサーチのための受信周波数領域の情報であることを特徴としたものである。
【００２８】
第６の技術手段は、第１の技術手段において、移動局装置は、複数の移動局情報の少なくとも一つを基に、最適な周辺セルサーチを実施するための受信周波数領域を判断することを特徴としたものである。
【００２９】
第７の技術手段は、第１の技術手段において、基地局装置は、複数の移動局情報の少なくとも一つを基に、最適な周辺セルサーチを実施するための受信周波数領域を判断することを特徴としたものである。
【００３０】
第８の技術手段は、第１の技術手段において、複数の移動局情報は、品質情報指標、位置情報、移動速度、移動局装置の送信電力、パスロス、及び受信品質の変動量のいずれかまたは複数を含むことを特徴としたものである。
【００３１】
第９の技術手段は、移動局装置と基地局装置とを備えるマルチキャリア移動通信システムにおける移動局装置の周辺セルサーチ方法において、移動局装置は、周辺セルサーチを基地局装置の送信周波数帯域幅の中心で行うか両側で行うかによって、同期チャネルの受信方法を変更することを特徴としたものである。
【００３２】
第１０の技術手段は、移動局装置と基地局装置とを備えるマルチキャリア移動通信システムにおける移動局装置の周辺セルサーチ方法において、移動局装置は、周辺セルサーチを基地局装置の送信周波数帯域幅の中心で行うか両側で行うかによって、移動局装置のためのパケットスケジューリング方法を変更することを特徴としたものである。
【００３３】
第１１の技術手段は、移動局装置と基地局装置とを備えるマルチキャリア移動通信システムにおける同期チャネルのチャネルマッピング方法であって、同期チャネルの周波数帯域幅を基地局装置の周波数帯域幅の中心から２分割して同期チャネルをマッピングすることを特徴としたものである。
【００３４】
第１２の技術手段は、第１１の技術手段において、分割した周波数帯域幅にそれぞれ同じ同期チャネルをマッピングすることを特徴としたものである。
【００３５】
第１３の技術手段は、第１１の技術手段において、分割した周波数帯域幅に対する同期チャネルのマッピング位置を、同期チャネルの送信周期毎に交互に入れ替えてマッピングすることを特徴としたものである。
【００３６】
第１４の技術手段は、第１１の技術手段において、同期チャネルの送信周期毎に、同期チャネルの前後を交互に入れ替えて同期チャネルをマッピングすることを特徴としたものである。
【００３７】
第１５の技術手段は、第１１の技術手段において、同期チャネルから求められるセルＩＤまたはセルＩＤグループを組み合わせることでセルＩＤまたはセルＩＤグループが特定可能な１組の同期チャネルを用意し、分割した周波数帯域に対する同期チャネルのマッピング位置を、同期チャネルの送信周期毎に交互に入れ替えてマッピングすることを特徴としたものである。
【００３８】
第１６の技術手段は、移動局装置と基地局装置とを備えるマルチキャリア移動通信システムに適用する移動局装置であって、移動局装置は、移動局装置の状態を判断するために必要となる複数の移動局情報を取得し、移動局装置に応じた最適な周辺セルサーチを行うためのスケジューリングに必要とする情報として、移動局情報の少なくとも一つを基地局装置に通知することを特徴としたものである。
【００３９】
第１７の技術手段は、移動局装置と基地局装置とを備えるマルチキャリア移動通信システムに適用する移動局装置であって、移動局装置は、移動局装置の状態を判断するために必要となる複数の移動局情報を取得し、複数の移動局情報の少なくとも一つを用いて移動局装置の状態を判断し、判断した移動局装置の状態を、移動局装置に応じた最適な周辺セルサーチを行うためのスケジューリングに必要とする情報として、基地局装置に通知することを特徴としたものである。
【００４０】
第１８の技術手段は、移動局装置と基地局装置とを備えるマルチキャリア移動通信システムに適用する移動局装置であって、移動局装置は、前記マルチキャリア移動通信システムにおける同期チャネルの周波数帯域幅を基地局装置の周波数帯域幅の中心から２分割した同期チャネルのマッピングであって、分割した周波数帯域幅に対する同期チャネルのマッピング位置を、同期チャネルの送信周期毎に交互に入れ替えたマッピングか、もしくは同期チャネルの送信周期毎に、同期チャネルの前後を交互に入れ替えたマッピングのいずれかがなされ、かつ、移動局装置が、基地局装置の送信周波数帯域幅の両側に配置されているときにおいて、ＳＣＨの送信周期ごとにセルＩＤまたはセルＩＤグループの検出を行うことを特徴としたものである。
【００４１】
第１９の技術手段は、移動局装置と基地局装置とを備えるマルチキャリア移動通信システムに適用する移動局装置であって、移動局装置は、マルチキャリア移動通信システムにおける同期チャネルの周波数帯域幅を基地局装置の周波数帯域幅の中心から２分割した同期チャネルのマッピングであって、分割した周波数帯域幅に対する同期チャネルのマッピング位置を、同期チャネルの送信周期毎に交互に入れ替えたマッピングか、もしくは同期チャネルの送信周期毎に、同期チャネルの前後を交互に入れ替えたマッピングのいずれかがなされ、かつ、移動局装置が、基地局装置の送信周波数帯域幅の両側に配置されているときにおいて、ＳＣＨを２つ受信する度にセルＩＤまたはセルＩＤグループの検出を行うことを特徴としたものである。
【００４２】
第２０の技術手段は、移動局装置と基地局装置とを備えるマルチキャリア移動通信システムに適用する基地局装置であって、基地局装置は、移動局装置に応じた最適な周辺セルサーチを行うためのスケジューリングに必要とする情報を移動局装置から受信し、スケジューリングに必要とする情報を用いて、移動局装置に応じた最適な周辺セルサーチのためのスケジューリング情報を移動局装置に通知することを特徴としたものである。
【００４３】
第２１の技術手段は、移動局装置と基地局装置とを備えるマルチキャリア移動通信システムに適用する基地局装置であって、基地局装置は、移動局装置に応じた最適な周辺セルサーチを行うためのスケジューリングに必要とする情報を移動局装置から受信し、スケジューリングに必要とする情報を用いて、移動局装置に応じた最適な周辺セルサーチのための受信周波数領域の情報を移動局装置に通知することを特徴としたものである。
【発明の効果】
【００４４】
本発明によれば、移動局装置と基地局装置とを備えるマルチキャリア移動通信システムにおいて、移動局装置の状態に応じた効率的な周辺セルサーチを行うことが可能となる。
【発明を実施するための最良の形態】
【００４５】
＜実施の形態１＞
本発明の実施の形態１について以下に説明する。
図１は、本発明の実施の形態１による移動局の構成の一例を示すブロック図である。移動局１００において、受信信号は、受信部１０１で受信され、復調部１０２へと送られて、スケジューリング情報を基に、データチャネル、制御チャネル、下り共通パイロットチャネル（ＤＬ−ＣＰＩＣＨ）、同期チャネルに分けられ、復調される。
【００４６】
復調された各データは、データチャネルであればユーザデータ処理部１０３へ、制御チャネルであれば制御データ処理部１０４へ、下り共通パイロットチャネルであればパイロット信号処理部１０５へ、同期チャネルであればセルサーチ部１０６へと送信される。ユーザデータ処理部１０３ではユーザデータを取り出して上位レイヤ１１２へ送信する。制御データ処理部１０４では制御データを取り出して上位レイヤ１１２へと送信する。
【００４７】
パイロット信号処理部１０５では、下り共通パイロットチャネルの受信品質を測定し、ＣＱＩを求める計算処理を行う。求めたＣＱＩはＣＱＩ情報として上位レイヤ１１２へ送信される。セルサーチ部１０６では同期チャネルを受信し、基地局との同期を確立するまでの動作が実行される。このとき、同期チャネルから判断したタイミングのずれを調整するための同期補正情報が同期処理部１０７にて計算され、受信部１０１と復調部１０２へ送信される。
【００４８】
一方、上位レイヤ１１２からの送信要求を契機として、ユーザデータと制御データが変調部１０８に入力される。また、スケジュール部１０９からの指示に従い、パイロット信号生成部１１０より上り共通パイロット信号が変調部１０８へ入力される。変調部１０８は、スケジュール部１０９から送信されるスケジューリング情報に従って、これら送信データを適切な変調方式で変調処理する。また、スケジューリング情報によって、適切な上りチャネルにマッピングされ、送信部１１１より送信される。なお、その他の移動局１００の構成要素は本発明に関係ないため省略してある。また、各部の動作は、上位レイヤ１１２によって統括的に制御される。
【００４９】
図２は、本発明の実施の形態１による基地局の構成の一例を示すブロック図である。基地局２００において、受信信号は、受信部２０１で受信され、復調部２０２へと送られ、スケジューリング情報を基に、データチャネル、制御チャネル、上り共通パイロットチャネル（ＵＬ−ＣＰＩＣＨ）に分けられ、復調される。
【００５０】
復調された各データは、データチャネルであればユーザデータ処理部２０３へ、制御チャネルであれば制御データ処理部２０４へ、上り共通パイロットチャネルであればパイロット信号処理部２０５へと送信される。ユーザデータ処理部２０３ではユーザデータを取り出して上位レイヤ２１１へ送信する。制御データ処理部２０４では制御データを取り出して上位レイヤ２１１へと送信する。パイロット信号処理部２０５では、上り共通パイロットチャネルの受信品質を測定し、パイロット受信品質情報として上位レイヤ２１１へ送信する。
【００５１】
一方、上位レイヤ２１１からの送信要求を契機として、ユーザデータと制御データが変調部２０６に入力される。符号化されたユーザデータと制御データは変調部２０６に入力され、変調される。また、スケジュール部２０７からの指示に従い、パイロット信号生成部２０８より下り共通パイロット信号が変調部２０６へ入力される。同様に、スケジュール部２０７からの指示に従い、同期信号生成部２０９より同期信号が変調部２０６へ入力される。変調部２０６は、スケジュール部２０７から送信されるスケジューリング情報に従って、これら送信データを適切な変調方式で変調処理する。また、スケジューリング情報によって、適切な下りチャネルにマッピングされ、送信部２１０より送信される。なお、その他の基地局２００の構成要素は本発明に関係ないため省略してある。また、各部の動作は、上位レイヤ２１１によって統括的に制御される。
【００５２】
図３は本発明に係わる同期チャネル（ＳＣＨ）のマッピングを示した図である。図３における基地局の周波数帯域幅は２０ＭＨｚである。また、ＳＣＨは周波数帯域幅の中心１.２５ＭＨｚの領域に配置され、送信周期１／ｎフレーム（ｎは０以外の自然数）で繰り返し送信されている。また、１０ＭＨｚの受信帯域幅を持つ移動局１〜３が存在し、移動局１が左側の１０ＭＨｚに、移動局２が右側の１０ＭＨｚに、移動局３が周波数帯域幅の中心に配置されているとする。このとき、基地局はＳＣＨの周波数帯域幅（１.２５ＭＨｚ）を中心で２分割し、それぞれに同じＳＣＨを送信する。すなわち、１つのＳＣＨの周波数帯域幅は１.２５ＭＨｚ÷２＝０.６２５ＭＨｚとなる。
【００５３】
図３における移動局の周辺セルサーチの動作について以下に説明する。
通信中の移動局は、周波数帯域幅の両側（移動局１、移動局２）にそれぞれ配置され、基地局のパケットスケジューリングに従ってデータ受信を行っている。このとき、本発明のＳＣＨ構成を用いることにより、移動局１は左側のＳＣＨを受信することができる。また、移動局２は右側のＳＣＨを受信することができる。また、移動局３は両方のＳＣＨを同時に受信することができる。
【００５４】
移動局１または移動局２は、１回の送信周期（１／ｎフレーム）の間に左右どちらか１つのＳＣＨを受信するが、移動局３は、１回の送信周期の間で左右２つのＳＣＨを受信するため、それらを平均化することが可能であり、移動局１または移動局２と比較して、同じセルサーチ時間でもＳＣＨの検出性能が向上する。移動局１または移動局２は、ＳＣＨの検出精度を向上させるために、複数回の送信周期のＳＣＨを平均化する必要がある。
【００５５】
このことから、高速かつ検出性能の良い周辺セルサーチが必要な移動局は移動局３の位置で周辺セルのＳＣＨを受信し、周辺セルサーチが不要、またはそれほど高速な周辺セルサーチが必要ない移動局は移動局１、または移動局２の位置で周辺セルのＳＣＨを受信すればよい。言い換えると、必要とされる周辺セルサーチの処理時間に応じて移動局が周波数帯域幅のどの位置でセルサーチを行うかを切り替える機能を有することが重要である。
【００５６】
必要な周辺セルサーチの処理時間を判断するために用いられる情報としては、ＣＱＩ、位置情報、移動速度、移動局の送信電力、パスロス、受信品質の変動量などが考えられる。以下に各情報を用いたときの周辺セルサーチの処理時間の判断方法について示す。
【００５７】
ＣＱＩは、ＤＬ−ＣＰＩＣＨの受信品質をレベル別に分類したものであり、求めたＣＱＩが悪いときは受信品質が悪いことを意味する。このことから、ＣＱＩが悪い場合はセルエッジなどに移動局があると予想され、周辺セルサーチが必要な状態かを判断できる。なお、ＣＱＩの計算方法として、毎回の瞬時値とある一定期間の平均値とが考えられるが、どちらを用いても良い。更に、ＣＱＩを受信したＤＬ−ＣＰＩＣＨごとに求める方法と、ある受信帯域に亘って平均して求める方法があるが、ここではその両方を含む。
位置情報は、移動局がセル内のどこに位置しているかを示すものであり、基地局の位置が既知であれば、移動局がセル内のどこにあるかが分かるため、周辺セルサーチが必要な状態かを判断できる。
【００５８】
移動速度は、移動局の現在の移動速度を示すものであり、移動速度が速い移動局は、それだけ一つのセルに留まる時間が短くなり、ハンドオーバーの頻度が多くなることを意味する。このことから、移動速度によって周辺セルサーチが必要な状態かを判断できる。
移動局の送信電力は、距離による減衰を補償するために基地局から離れるに従って上昇する。このことから、送信電力が高い場合はセルエッジなどに移動局があると予想されるため、周辺セルサーチが必要な状態かを判断できる。
【００５９】
パスロスは、ＤＬ−ＣＰＩＣＨ、またはＵＬ−ＣＰＩＣＨといった既知の送信電力で送信されている共通パイロットチャネルが、送信時の電力からどれだけ劣化したかを示すものであり、パスロスが大きければ移動局がセルエッジに近いことが予測されるため、パスロスを測定することによって周辺セルサーチが必要な状態かを判断できる。
【００６０】
受信品質の変動量は、ＤＬ−ＣＰＩＣＨ、またはＵＬ−ＣＰＩＣＨといった既知の送信電力で送信されている共通パイロットチャネルの受信品質が、ある時間間隔でどれだけ変化したかを示すものであり、受信品質の変動量を周期的に測定することによって、前回からの品質劣化（または品質向上）の差分値が計算できる。この差分値の変動によって移動局の動作をある程度予測できる。前回よりも共通パイロットチャネルの品質が劣化し、更に差分値が大きければ、移動局がセルエッジ側へ向かっていることが予想されるため、周辺セルサーチが必要な状態かを判断できる。
【００６１】
基地局は、前記の移動局情報（ＣＱＩ、位置情報、移動速度、移動局の送信電力、パスロス、受信品質の変動量）を少なくとも一つを用いて、移動局が高速な周辺セルサーチを必要としているか否かを判断する。基地局の前記の移動局情報の取得方法について以下に示す。
【００６２】
ＣＱＩはＤＬ−ＣＰＩＣＨの受信品質を基に移動局にて計算され、上り共用制御チャネルで通知されるため、基地局は移動局が計算したＣＱＩを取得することができる。すでに述べたように、ＣＱＩは瞬時値であっても平均値であってもよく、更に報告するＣＱＩは受信ＤＬ−ＣＰＩＣＨごとであっても、ある受信帯域に亘って平均したものであっても良い。また、それ以外のＣＱＩ報告方法のいずれを用いても本発明の主旨には影響しない。
【００６３】
また、位置情報は基地局が固定的に配置されているため、基地局は自分自身の位置は既知である。一方、移動局は例えばＧＰＳ装置などによって移動局の位置を取得し、取得した位置情報を上り共用制御チャネルで通知することで、基地局は移動局の位置を取得することができる。その逆に、基地局の位置情報を下り共用制御チャネルで通知することで移動局は基地局の位置を取得することができる。なお、位置情報の取得方法は上記以外の方法であっても問題ない。
【００６４】
また、移動速度は、例えば速度センサー装置や、受信信号のドップラー周波数成分から移動局で推定することが可能である。基地局が移動局の移動速度を取得する方法として、移動局が上り共用制御チャネルで移動速度を通知する方法のほか、基地局が移動局の送信信号のドップラー周波数成分から推定することで速度を取得することができる。なお、移動速度の取得方法は上記以外の方法であっても問題ない。
【００６５】
また、移動局の送信電力は、移動局の送信している電力値を上り共用制御チャネルで基地局へ通知する方法のほか、ＵＬ−ＣＰＩＣＨの減衰量から推測することによって基地局は移動局の送信電力を取得することができる。
また、パスロスは、ＤＬ−ＣＰＩＣＨの送信電力と受信電力の差から計算した値を基地局へ通知するほか、基地局側でＵＬ−ＣＰＩＣＨの送信電力と受信電力の差を計算することでパスロスを取得することができる。
【００６６】
また、受信品質の変動量はＤＬ−ＣＰＩＣＨの受信品質を用いて移動局が測定した値を上り共用制御チャネルで基地局へ通知することで取得できる。ＤＬ−ＣＰＩＣＨは周期的に送信されるチャネルであるため、移動局は過去数回のＤＬ−ＣＰＩＣＨの受信結果を保持することで受信品質の変動量を取得することができる。また、基地局がＵＬ−ＣＰＩＣＨの受信品質を用いて判断することができる。基地局は過去数回のＵＬ−ＣＰＩＣＨの受信結果を保持することで受信品質の変動量を取得することができる。
【００６７】
なお、これらの情報は少なくとも一つが基地局で用いられれば良く、移動局の能力（ＵＥ  Ｃａｐａｂｉｌｉｔｙ）や、基地局の制限によって使用されなくても、あるいは移動局で取得されているが、基地局に通知されなくても構わない。
【００６８】
図４に、本実施の形態１のシーケンス図を示す。移動局は、状態取得処理（Ｓ１）にて、必要な周辺セルサーチの処理時間を判断するための移動局情報（ＣＱＩ、位置情報、移動速度、移動局の送信電力、パスロス、受信品質の変動量）を取得する。取得した移動局情報は基地局へ通知される（Ｓ２）。通知に用いられる制御チャネルは、前述したように移動局情報によって異なるチャネルが使用されても良く、一度に全ての移動局情報を通知しても、別々のタイミングで通知してもよい。
【００６９】
通知された前記移動局情報は、基地局の状態判定処理にて使用される（Ｓ３）。また、パケットスケジューリングを決定するために使用される（Ｓ４）。決定されたスケジューリング情報は基地局より移動局に通知される（Ｓ５）。このとき、前記スケジューリング情報は下り共用制御チャネルを用いて通知される。
【００７０】
移動局は、前記スケジューリング情報に従って受信する周波数帯域幅を切り替え、周波数帯域幅の位置によって適切な周辺セルサーチを実施する。すなわち、パケットスケジューリングされる領域が周波数帯域幅の左右どちらかの１０ＭＨｚから、中心の１０ＭＨｚの領域に変更された場合に、受信周波数を中心に移動させ、中心１.２５ＭＨｚのＳＣＨを受信する。同様に、パケットスケジューリングされる領域が周波数帯域幅の中心の１０ＭＨｚから、左右どちらかの１０ＭＨｚの領域に変更された場合に、受信周波数を左右どちらかに移動させ、片側０.６２５ＭＨｚのＳＣＨを受信する。
【００７１】
図５に、基地局における処理内容を説明したフローチャート図を示す。基地局は、移動局状態取得処理にて移動局情報（ＣＱＩ、位置情報、移動速度、移動局の送信電力、パスロス、受信品質の変動量）の少なくとも一つを取得する（Ｓ１１）。次に、取得した各情報の少なくとも一つを用いて周辺セルサーチが必要かどうかの状態判定処理を行う（Ｓ１２）。
【００７２】
このときの状態判定方法として、例えば、移動局情報の値が事前に設定された閾値を一つでも超えた場合に周辺セルサーチが必要と判断する方法がある。あるいは、移動局情報の値が前記閾値を複数超えた場合に周辺セルサーチが必要と判断する方法がある。あるいは、移動局情報の値が前記閾値を全て超えた場合に周辺セルサーチが必要と判断する方法がある。
【００７３】
また、各情報から得られる内容に着目してより高度な状態判定処理を行うこともできる。例えば、ＣＱＩや位置情報からセルエッジであると判断されても、移動局の移動速度が遅ければ高速なセルサーチは必要ないと判断できる。また、同様にセルエッジであると判断されても、受信品質の変動量が上昇する傾向を示しているときはセルの中心に向かって移動していると判断されるため、高速な周辺セルサーチは必要ないと判断できる。このように、得られた移動局情報を総合的に用いることによって、より正確な周辺セルサーチの必要性を判断することが可能となる。
【００７４】
状態判定処理にて高速な周辺セルサーチが必要だと判断した場合で、基地局が周波数帯域幅の左右どちらかでパケットスケジューリングしていたときは、パケットスケジューリングを中心で行うように変更する（Ｓ１４）。また、状態判定処理にて高速な周辺セルサーチが不要だと判断した場合で、基地局が周波数帯域幅の中心でパケットスケジューリングしていたときは、パケットスケジューリングを左右どちらかで行うように変更する（Ｓ１３）。
【００７５】
本実施の形態によって、基地局にてセルエッジのユーザや高速移動中のユーザと判断され、かつ、高速な周辺セルサーチが必要な移動局は周波数帯域幅の中心に配置され、一回の送信周期で中心２つのＳＣＨを受信することで周辺セルサーチ時間を従来と同様の時間で実現できる。一方、高速な周辺セルサーチが不要な移動局は周波数帯域幅の左右どちらかに配置され、受信周波数を変更することなく左右どちらか一方のＳＣＨを受信し、受信した複数のＳＣＨを平均化することで周辺セルサーチを行う。このとき、平均化処理を行うことで周辺セルサーチ時間が従来よりも長くなるが、受信周波数を切り替えることなく周辺セルサーチが実施できるため、消費電力を削減することができる。
【００７６】
また、セルエッジユーザや高速移動中のユーザであっても、移動局情報から高速な周辺セルサーチが不要だと判断されたユーザは周波数帯域幅の左右どちらかに配置されるため、すべてのセルエッジユーザや高速移動中のユーザを周波数帯域幅の中心の領域へ配置させる必要がなくなり、伝送レートや収容移動局数の低下を防ぐことが可能となる。
【００７７】
なお、これまで通信中の移動局について説明したが、待ち受け中の移動局は、図３の移動局３の位置にて中心２つのＳＣＨを同時に受信すればよい。待ち受け中の移動局は２つのＳＣＨを同時に受信し、平均化処理により周辺セルを検出する。そのため、周辺セルサーチは従来と同様の時間で完了するため、消費電力は従来と変わらない。また、待ち受け中はリソース割当がされないため、伝送レートや収容移動局数の低下は起こらない。
【００７８】
本実施の形態では、２つに分割した同期チャネル（ＳＣＨ）はそれぞれ同じものとして説明した。しかしながら、ＳＣＨを同期検出だけでなくＷ−ＣＤＭＡ方式におけるＳ−ＳＣＨのように、セルＩＤ（またはセルＩＤグループ）を特定するための情報を通知するような使い方をする場合を考えると、ＳＣＨに割り当てるリソースが多いがセルＩＤ（またはセルＩＤグループ）のための情報を多く通知することが可能となる。すなわち、ＳＣＨの周波数帯域幅の長さが従来の半分（０.６２５ＭＨｚ）となる本方式はセルＩＤ（またはセルＩＤグループ）数が従来よりも少なくなってしまう。この一つの解決方法は、セルＩＤグループに含まれるセルＩＤ数を増加させることである。ただし、ＳＣＨが１.２５ＭＨｚの場合と同数のセルＩＤが必要な場合、１つのセルＩＤグループに含まれるセルＩＤ数が２倍に増加することになり、セルＩＤの特定に必要な時間が増加する。
【００７９】
本問題を解決するためのＳＣＨのチャネルマッピング方法について以下に説明する。
１.２５ＭＨｚの長さ（周波数帯域幅）を持つＳＣＨの信号構成にある規則を当てはめ、セルＩＤ（またはセルＩＤグループ）を表現しているとする。このとき、このＳＣＨの信号構成を崩さずに、中心からＳＣＨ１とＳＣＨ２にそれぞれ分割する。すなわち、分割されたＳＣＨ１とＳＣＨ２の周波数帯域幅はそれぞれ１.２５ＭＨｚ÷２＝０.６２５ＭＨｚとなる。ここで、あるＳＣＨの送信周期では、ＳＣＨ１、ＳＣＨ２という順番で周波数軸方向に送信し、次のＳＣＨの送信周期では、ＳＣＨ２、ＳＣＨ１という順番で周波数軸方向に送信するチャネルマッピング方法を採る。なお、次のＳＣＨの送信周期では、再びＳＣＨ１、ＳＣＨ２という順番で周波数軸方向に送信する。
【００８０】
図６は本チャネルマッピング方法を図示したものである。図６において、高速な周辺セルサーチが不要な移動局は移動局１または移動局２に配置され、高速な周辺セルサーチが必要な移動局、及び、待ち受け中の移動局は移動局３の位置に配置されている。このとき、移動局１はＳＣＨの左側を受信することが可能であり、図中ではＳＣＨ１１、ＳＣＨ２２、ＳＣＨ１３、ＳＣＨ２４・・・を受信する。移動局１は、受信したＳＣＨ１とＳＣＨ２を組み合わせてセルＩＤ（またはセルＩＤグループ）の情報を復元する。同様に、移動局２は右側のＳＣＨ２１、ＳＣＨ１２、ＳＣＨ２３、ＳＣＨ１４・・・を受信し、これら受信したＳＣＨ１とＳＣＨ２を組み合わせてセルＩＤ（またはセルＩＤグループ）の情報を復元する。なお、周辺セルサーチの開始タイミングの関係でＳＣＨ２が先に受信されることもあるが、この場合は受信処理を行った結果、ＳＣＨの検出ができないときはＳＣＨ１とＳＣＨ２の組み合わせの順番を入れ替える。
【００８１】
一方、移動局３は周波数帯域幅の中心１.２５ＭＨｚのＳＣＨ１とＳＣＨ２を同時に受信する。移動局３は、受信したＳＣＨ１とＳＣＨ２を組み合わせてセルＩＤ（またはセルＩＤグループ）の情報を復元する。なお、周波数軸方向にＳＣＨ２、ＳＣＨ１と配置されたＳＣＨを受信することもあるが（図中のＳＣＨ２２、ＳＣＨ１２）、この場合は受信処理を行った結果、ＳＣＨの検出ができないときはＳＣＨ１とＳＣＨ２の組み合わせの順番を入れ替える。
【００８２】
図７は本方式におけるセルＩＤ（またはセルＩＤグループ）の表現方式の一例を図示したものである。図７は、セルＩＤ（またはセルＩＤグループ）の総数がｋ個（ｉ＜ｊ＜ｋ：ｉ、ｊ、ｋは自然数）であったときに、ＳＣＨ１とＳＣＨ２を受信することによって、セルＩＤ（またはセルＩＤグループ）の候補がセルＩＤ＃ｉ〜セルＩＤ＃ｊまでに絞られたことを示した図である。本チャネルマッピング方法は、ＳＣＨ１とＳＣＨ２を併せた１.２５ＭＨｚの長さのＳＣＨからセルＩＤ（またはセルＩＤグループ）の情報を得るため、セルＩＤ（またはセルＩＤグループ）数は従来と変わらずに実現可能である。
【００８３】
また、前述した１.２５ＭＨｚの長さ（周波数帯域幅）のＳＣＨを２つに分割するのではなく、０.６２５ＭＨｚの長さからなるＳＣＨ１とＳＣＨ２を個々に用意し、各ＳＣＨはそれぞれ異なるセルＩＤグループを表現し、両者に共通して含まれる範囲をセルＩＤグループの候補する方式もある。本方式について以下に説明する。ＳＣＨ１とＳＣＨ２は、図６に示したチャネルマッピング方法を用いて送信される。
【００８４】
図６において、高速な周辺セルサーチが不要な移動局は移動局１または移動局２に配置され、高速な周辺セルサーチが必要な移動局、及び、待ち受け中の移動局は移動局３の位置に配置されている。このとき、移動局１はＳＣＨの左側だけを受信することが可能であり、図中ではＳＣＨ１１、ＳＣＨ２２、ＳＣＨ１３、ＳＣＨ２４・・・を受信する。移動局１は、受信したＳＣＨ１とＳＣＨ２から、それぞれセルＩＤグループの情報を復元する。同様に、移動局２は右側のＳＣＨ２１、ＳＣＨ１２、ＳＣＨ２３、ＳＣＨ１４・・・を受信し、これら受信したＳＣＨ１とＳＣＨ２から、それぞれセルＩＤグループの情報を復元する。
【００８５】
一方、移動局３は周波数帯域幅の中心１.２５ＭＨｚのＳＣＨ１とＳＣＨ２を同時に受信する。移動局３は、受信したＳＣＨ１とＳＣＨ２から、それぞれセルＩＤグループの情報を復元する。
前記の方式との違いは、前記の方式がＳＣＨ１とＳＣＨ２を併せて一つのセルＩＤ（またはセルＩＤグループ）を表現していたのに対し、本方式はＳＣＨ１とＳＣＨ２がそれぞれ別個のセルＩＤ（またはセルＩＤグループ）を表現していることである。図８は本方式におけるセルＩＤ（またはセルＩＤグループ）の表現方式の一例を図示したものである。
【００８６】
ＳＣＨ１またはＳＣＨ２の長さ（周波数帯域幅）が０.６２５ＭＨｚであるため、ＳＣＨで特定できるセルＩＤ（またはセルＩＤグループ）の数は１.２５ＭＨｚのときよりも多くなる。しかしながら、ＳＣＨ１とＳＣＨ２で共通して候補となったセルＩＤ（またはセルＩＤグループ）を抽出することで、１.２５ＭＨｚの長さのＳＣＨと同様のセルＩＤ（またはセルＩＤグループ）まで絞り込むことができる。
【００８７】
図８の例では、ＳＣＨ１がセルＩＤ＃ｉ，１〜セルＩＤ＃ｊ，１、及びセルＩＤ＃ｉ，２〜セルＩＤ＃ｊ，２までを表現し、ＳＣＨ２がセルＩＤ＃１，２〜セルＩＤ＃ｋ，２までを表現していることから、セルＩＤ（またはセルＩＤグループ）の候補が共通するセルＩＤ＃ｉ，２〜セルＩＤ＃ｊ，２までに絞られたことを示している。本チャネルマッピング方法は、ＳＣＨ１とＳＣＨ２が共に０.６２５ＭＨｚの長さで構成されているため、ＳＣＨの受信順序を気にすることなくセルＩＤ（またはセルＩＤグループ）の情報を取得でき、共通するセルＩＤ（またはセルＩＤグループ）を候補とすることによって、ＳＣＨの長さが短くなることによるセルＩＤ（またはセルＩＤグループ）数の検出時間の増加を防ぐことが可能となる。
【００８８】
なお、セルＩＤ（またはセルＩＤグループ）の候補を絞り込むためにＳＣＨ１とＳＣＨ２で共通して候補となったセルＩＤ（またはセルＩＤグループ）を抽出しているが、ＳＣＨ１またはＳＣＨ２のみで候補となったセルＩＤ（またはセルＩＤグループ）に対して検出を試みても良い。本方法は、例えばＳＣＨの送信周期が長い、または十分に高速な計算能力を移動局が持っているなどの理由で、ＳＣＨ１とＳＣＨ２を受信するよりも、どちらか一方のみでセルＩＤ（またはセルＩＤグループ）検出を試みた方が早い場合などに有効である。
【００８９】
本方式において、セルＩＤ（またはセルＩＤグループ）の検出する際の受信したＳＣＨの組み合わせ方法として、ＳＣＨの送信周期ごとに検出する方法とＳＣＨを２つ受信する度に検出する方法がある。図６の移動局１の例を用いて説明すると、送信周期ごとに検出する方法は、まずＳＣＨ１１とＳＣＨ２２の組み合わせでセルＩＤ（またはセルＩＤグループ）の検出を試み、次はＳＣＨ２２とＳＣＨ１３の組み合わせでセルＩＤ（またはセルＩＤグループ）の検出を試みる方法である。
【００９０】
一方、ＳＣＨを２つ受信する度に検出する方法は、ＳＣＨ１１とＳＣＨ２２の組み合わせでセルＩＤ（またはセルＩＤグループ）の検出を試みた後、次はＳＣＨ１３とＳＣＨ２４の組み合わせでセルＩＤ（またはセルＩＤグループ）の検出を試みる方法である。すなわち、セルＩＤ（またはセルＩＤグループ）を２回検出するために、前者の方法は３ＳＣＨ周期となり、後者は４ＳＣＨ周期となる。前者の方が検出時間は短くなるが、計算の複雑性が増す可能性がある。
【００９１】
セルＩＤ（またはセルＩＤグループ）の検出方法として、前記受信ＳＣＨの組み合わせ方法のどちらを用いてもよい。各検出方法に必要な構成、制御方法、制御手順は前記移動局１００で十分実現可能である。
【００９２】
なお、ここではＳＣＨによるセルＩＤ（またはセルＩＤグループ）の表現方式は特に規定しない。例えば、セルＩＤ（またはセルＩＤグループ）を示すある符号をＳＣＨに乗算して表しても良い。また、サブキャリアごとの位相差でセルＩＤ（またはセルＩＤグループ）を表しても良い。また、ＳＣＨを復調した後のデータ内容でセルＩＤ（またはセルＩＤグループ）を表しても良い。また、サブキャリアにマスクをして、マスクのパターンでセルＩＤ（またはセルＩＤグループ）を表しても良い。また、上記以外の表現方式であって、本方式を用いることで表現不可能にならない限り、如何なるセルＩＤ（またはセルＩＤグループ）の表現方式であっても適用することができる。
更に本方式は、ＳＣＨがＷ−ＣＤＭＡ方式のようにＰ−ＳＣＨとＳ−ＳＣＨから構成されている場合、どちらか一方、または両方に適用可能である。
【００９３】
＜実施の形態２＞
本発明の実施の形態２について以下に説明する。実施の形態２における移動局と基地局の構成は実施の形態１と同じでよい。
実施の形態２のＳＣＨのチャネルマッピング方法は図３と図６で示した方法のどちらも可能である。更に、図６に示すチャネルマッピング方法における、セルＩＤ（またはセルＩＤグループ）の表現方法は図７と図８のどちらの方法も適用可能である。
【００９４】
実施の形態１では、図９に示すように、データチャネルが周波数帯域幅のどちらか片側の５ＭＨｚを超えない範囲だけにスケジューリングされている場合、移動局は、移動局１と移動局３の位置でデータチャネルを受信することが可能である。そのため、移動局は移動局１と移動局３のどちらの位置で周辺セルサーチを実施するのが最適なのかスケジューリング情報だけでは判断できない。言い換えると、周辺セルサーチのための最適なＳＣＨの受信方法が判断できない。
【００９５】
そのため、実施の形態２では、実施の形態１では基地局が実施していた状態判定処理を移動局で実施し、更に、移動局の状態に応じた最適な周辺セルサーチのためのパケットスケジューリングを、移動局が現在配置されている周波数帯域幅の位置に応じて移動局から基地局へシグナリングで要求するように変更し、前記シグナリングの有無によって図９のようなパケットスケジューリングがされた場合であっても、適切な位置で周辺セルサーチを実施可能としたものである。
【００９６】
実施の形態２では、移動局にて移動局情報（ＣＱＩ、位置情報、移動速度、移動局の送信電力、パスロス、受信品質の変動量）を取得する必要がある。以下に、移動局情報の取得方法について説明する。
ＣＱＩは、ＤＬ−ＣＰＩＣＨの受信品質から計算して取得することができる。
また、位置情報については、移動局は例えばＧＰＳ装置などから移動局の位置を取得することができる。また、基地局の位置情報は下り共用制御チャネルや報知情報から取得することができる。なお、位置情報の取得方法は上記以外の方法であっても問題ない。
【００９７】
また、移動速度は、例えば速度センサー装置や、受信信号のドップラー周波数成分から移動局で推定することが可能である。なお、移動速度の取得方法は上記以外の方法であっても問題ない。
また、移動局の送信電力は、移動局の内部で測定することで取得することができる。
また、パスロスは、ＤＬ−ＣＰＩＣＨの送信電力と受信電力の差から計算することで取得することができる。
【００９８】
また、受信品質の変動量はＤＬ−ＣＰＩＣＨの受信品質を用いて移動局で判断する。ＤＬ−ＣＰＩＣＨは周期的に送信されるチャネルであるため、過去数回のＤＬ−ＣＰＩＣＨの受信結果を保持することで受信品質の変動量を取得することができる。
なお、これらの情報は少なくとも一つが移動局で用いられれば良く、移動局の能力（ＵＥ  Ｃａｐａｂｉｌｉｔｙ）によって、取得できない情報があっても、あるいは取得していても使用しない情報があっても構わない。
【００９９】
図１０に、本実施の形態２のシーケンス図を示す。移動局は、状態取得処理にて、必要な周辺セルサーチの処理時間を判断するための移動局情報（ＣＱＩ、位置情報、移動速度、移動局の送信電力、パスロス、受信品質の変動量）を取得する（Ｓ２１）。また、取得した移動局情報を基に移動局にて状態判定処理を実施する（Ｓ２２）。
【０１００】
状態判定処理の結果、周辺セルサーチのためのスケジューリングの変更要求が必要だと判断した移動局は、基地局にスケジューリング変更要求をシグナリングで通知する（Ｓ２３）。シグナリングは上り共用制御チャネルを用いて通知される。前記シグナリングを受信した基地局は、スケジューリング方法を周波数帯域幅の中心で行うか左右のどちらかで行うかを判断する（Ｓ２４）。このときの判断方法は、移動局のシグナリングに従ってもよいし、また、通信中に取得している移動局情報（例えばＣＱＩや受信品質の変動量）などを判断に加えてもよい。決定されたスケジューリング情報は基地局より移動局に通知される（Ｓ２５）。このとき、前記スケジューリング情報は下り共用制御チャネルを用いて通知される。
【０１０１】
移動局は、受信した前記スケジューリング情報と、シグナリングの通知の有無に従って受信する周波数帯域幅を切り替える。すなわち、パケットスケジューリングされる領域が周波数帯域幅の左右どちらかの１０ＭＨｚから、中心の１０ＭＨｚの領域に変更された場合に、受信周波数を左右どちらかの１０ＭＨｚから中心に移動させる。同様に、パケットスケジューリングされる領域が周波数帯域幅の中心の１０ＭＨｚである状態から、左右どちらかの１０ＭＨｚの領域に変更された場合に、受信周波数を移動させる。また、図９のようなパケットスケジューリングがされたときで、基地局にシグナリングを通知していたときは周波数帯域幅の中心の１０ＭＨｚで受信する。基地局にシグナリングを通知していないときは周波数帯域幅の左右どちらかの１０ＭＨｚで受信する。
【０１０２】
図１１に、移動局における処理内容を説明したフローチャート図を示す。移動局は、移動局状態取得処理にて移動局情報（ＣＱＩ、位置情報、移動速度、移動局の送信電力、パスロス、受信品質の変動量）の少なくとも一つを取得する（Ｓ３１）。次に、所得した各情報の少なくとも一つを用いて周辺セルサーチが必要かどうかの状態判定処理を行う（Ｓ３２）。状態判定処理の方法は実施の形態１と同じである。
【０１０３】
状態判定処理にて高速な周辺セルサーチが必要だと判断した場合、移動局は現在の受信周波数の位置を確認し（Ｓ３４）、周波数帯域幅の中心１０ＭＨｚに配置されていた場合は何もせずに判定処理を終了する。一方、周波数帯域幅の左右どちらかの１０ＭＨｚに配置されていた場合、パケットスケジューリングを周波数帯域幅の中心１０ＭＨｚで行うように基地局にシグナリングで通知を行う（Ｓ３６）。
【０１０４】
また、高速な周辺セルサーチが不要だと判断した場合、移動局は現在の受信周波数の位置を確認し（Ｓ３３）、周波数帯域幅の中心１０ＭＨｚに配置されていた場合、パケットスケジューリングを周波数帯域幅の左右どちらかの１０ＭＨｚで行うように基地局にシグナリングで通知を行う（Ｓ３５）。一方、周波数帯域幅の左右どちらかの１０ＭＨｚに配置されていた場合は何もせずに判定処理を終了する。
【０１０５】
本実施の形態によって、基地局からのスケジュール情報と、移動局のシグナリング通知の有無を基に、移動局が周辺セルサーチを周波数帯域幅のどの位置で行えばよいかを適切に判断可能となる。
【０１０６】
＜実施の形態３＞
本発明の実施の形態３について以下に説明する。実施の形態３における移動局と基地局の構成は実施の形態１と同じでよい。
実施の形態３のＳＣＨのチャネルマッピング方法は図３と図６で示した方法のどちらも可能である。更に、図６に示すチャネルマッピング方法における、セルＩＤ（またはセルＩＤグループ）の表現方法は図７と図８のどちらの方法も適用可能である。
【０１０７】
実施の形態１では、図９で示したように、スケジューリングによっては周辺セルサーチのための最適なＳＣＨの受信方法を移動局が正しく判断できない場合がある。
そのため、実施の形態３では基地局が状態判定処理を実施した後、移動局にシグナリングを送信し、移動局の状態に応じた最適な周辺セルサーチのためのパケットスケジューリングを事前に通知し、その後にスケジューリング情報を基地局より移動局に通知することによって、図９のようなパケットスケジューリングがされた場合であっても、適切な位置で周辺セルサーチを実施可能としたものである。
【０１０８】
実施の形態３における、基地局での移動局情報（ＣＱＩ、位置情報、移動速度、移動局の送信電力、パスロス、受信品質の変動量）の取得方法は実施の形態１と同じでよい。
【０１０９】
図１２に、本実施の形態３のシーケンス図を示す。移動局は、状態取得処理にて、必要な周辺セルサーチの処理時間を判断するための移動局情報（ＣＱＩ、位置情報、移動速度、移動局の送信電力、パスロス、受信品質の変動量）を取得する（Ｓ４１）。取得した移動局情報は基地局へ通知される（Ｓ４２）。前記移動局情報を通知するための制御チャネルは実施の形態１に従う。
【０１１０】
通知された移動局情報は、基地局の状態判定処理に使用される（Ｓ４３）。基地局の処理内容）は図１４と同じである。基地局は、高速な周辺セルサーチが必要だと判断され、かつ周波数帯域幅の左右どちらかに配置されている移動局に対してシグナリングを送信し、パケットスケジューリングを周波数帯域幅の中心で行うことを事前に通知する。逆に、高速な周辺セルサーチが不要だと判断され、かつ周波数帯域幅の中心に配置されている移動局に対してシグナリングを送信し、パケットスケジューリングを周波数帯域幅の左右どちらかで行うことを事前に通知する。シグナリングは下り共用制御チャネルを用いて通知される（Ｓ４４）。なお、移動局の位置を変更する必要がなければシグナリングは送信しない。移動局は、前記シグナリングに従って受信する周波数帯域幅を切り替え、周波数帯域幅の位置によって適切な周辺セルサーチを実施する。
また、移動局情報はパケットスケジューリングを決定するために使用される（Ｓ４５）。決定されたスケジューリング情報は基地局より移動局に通知される（Ｓ４６）。このとき、前記スケジューリング情報は下り共用制御チャネルを用いて通知される。移動局は、前記スケジューリング情報に従ってデータ受信処理を実施する。
【０１１１】
本実施の形態によって、基地局からのシグナリング通知に従って、移動局が周辺セルサーチを周波数帯域幅のどの位置で行えばよいかを適切に判断可能となる。
【０１１２】
なお、基地局と移動局間の情報のやり取りは、本発明において説明した制御チャネルのみに限定されるものではない。例えば、移動局から基地局へ移動局情報やシグナリングを通知するための上りの制御チャネルは、上り共用制御チャネル以外でも良く、必要な情報を送信できるものであれば、他の制御チャネルやデータチャネルを利用してもよい。同様に、下りの制御チャネルも下り共用制御チャネル以外でも良い。
また、基地局の周波数帯域幅の中心１.２５ＭＨｚをＳＣＨの周波数領域としたが、これは本発明におけるＳＣＨの周波数領域を限定するものではなく、ＳＣＨが１.２５ＭＨｚ以上の周波数領域を使用している場合でも構わない。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【０１１３】
【図１】本発明の実施の形態１による移動局の図である。
【図２】本発明の実施の形態１による基地局の図である。
【図３】２０ＭＨｚの周波数帯域幅の基地局が送信する同期チャネルの配置を示した図である。
【図４】本発明の実施の形態１におけるシーケンス図である。
【図５】本発明の実施の形態１の基地局が、周辺セルサーチに最適なパケットスケジューリングを行うかを決定するためのフローチャートである。
【図６】２０ＭＨｚの周波数帯域幅の基地局が送信する同期チャネルの他の配置を示した図である。
【図７】ＳＣＨ１とＳＣＨ２を併せることで表現されるセルＩＤ（またはセルＩＤグループ）の範囲を示す図である。
【図８】ＳＣＨ１とＳＣＨ２がそれぞれ表現するセルＩＤ（またはセルＩＤグループ）の範囲を示す図である。
【図９】データチャネルが周波数帯域幅のどちらか片側の５ＭＨｚの範囲だけにスケジューリングされている例を示す図である。
【図１０】本発明の実施の形態２におけるシーケンス図である。
【図１１】本発明の実施の形態２の移動局が、周辺セルサーチに最適なパケットスケジューリングを基地局に要求するかを決定するためのフローチャートである。
【図１２】本発明の実施の形態３におけるシーケンス図である。
【図１３】異なる周波数帯域幅を持つ基地局の周波数帯域幅と同期チャネルの位置の関係を示す図である。
【図１４】２０ＭＨｚの周波数帯域幅を持つ基地局における移動局の配置を示す図である。
【符号の説明】
【０１１４】
１００…移動局、１０１…受信部、１０２…復調部、１０３…ユーザデータ処理部、１０４…制御データ処理部、１０５…パイロット信号処理部、１０６…セルサーチ部、１０７…同期処理部、１０８…変調部、１０９…スケジュール部、１１０…パイロット信号生成部、１１１…送信部、１１２…上位レイヤ、２００…基地局、２０１…受信部、２０２…復調部、２０３…ユーザデータ処理部、２０４…制御データ処理部、２０５…パイロット信号処理部、２０６…変調部、２０７…スケジュール部、２０８…パイロット信号生成部、２０９…同期信号生成部、２１０…送信部、２１１…上位レイヤ。
【図１】
2008028627.tif 000003
【図２】
2008028627.tif 000004
【図３】
2008028627.tif 000005
【図４】
2008028627.tif 000006
【図５】
2008028627.tif 000007
【図６】
2008028627.tif 000008
【図７】
2008028627.tif 000009
【図８】
2008028627.tif 000010
【図９】
2008028627.tif 000011
【図１０】
2008028627.tif 000012
【図１１】
2008028627.tif 000013
【図１２】
2008028627.tif 000014
【図１３】
2008028627.tif 000015
【図１４】
2008028627.tif 000016